(57)【要約】【課題】到着情報通知サービスを提供する。【解決手段】本発明は、ネットワーク１を介して、通過点および、あるいは目的地を識別する情報と、その各々へ対象者が到着した際の遅延情報とを利用者端末５１に通知する。サーバ装置２において、必要時間受信部２２は利用者端末５１から送信される前記通過点および、あるいは目的地までの所要時間情報を受信し、対象情報データベース２８に蓄積する。出発時刻受信部２３は出発時刻情報を受信し、対象情報データベース２８に蓄積する。到着予定時刻算出部２４は、出発時刻情報の受信により通過点および、あるいは目的地に到着予定時刻を算出する。到着情報受信部２５は到着情報制御装置３１または入門情報制御装置４１から送信される到着情報を受信する。到着判断部２６は、算出した到着予定時刻に遅れているか否かを判断し、判断結果を遅延情報として利用者端末５１に通知することを特徴とする。【選択図】図１
2007328587.tif 000002
【特許請求の範囲】
【請求項１】
通信ネットワークを用いて、通過点および、あるいは目的地を識別する情報と、その各々へ対象が到着した際の遅延情報とを利用者の端末装置に通知する到着情報通知サービスを提供する方法であって、
サービスを提供するサーバ装置が、
前記利用者の利用者端末から送信される前記通過点および、あるいは目的地への到着までに必要とする所要時間情報を受信し、蓄積する必要時間蓄積過程と、
出発時刻情報を受信し、蓄積する出発時刻蓄積過程と、
前記出発時刻情報の受信により前記通過点および、あるいは目的地に到着する予定時刻を算出する到着予定時刻算出過程と、
前記通過点および、あるいは目的地に設置される到着管理装置から送信される到着情報を受信し、算出した前記予定時刻に遅れているか否かを判断する到着判断過程と、
判断結果を前記遅延情報として前記利用者端末に通知する判断結果通知過程と
を有することを特徴とする情報通知サービス提供方法。
【請求項２】
通信ネットワークを用いて、通過点および、あるいは目的地を識別する情報と、その各々へ対象が到着した際の遅延情報とを利用者端末に通知する到着情報通知サービスを提供する方法であって、
無線受信手段を有する携帯端末が、
前記通過点および、あるいは目的地への到着までに必要とする所要時間情報を蓄積する必要時間蓄積過程と、
出発時刻情報を受け付け、蓄積する出発時刻蓄積過程と、
前記出発時刻情報の受け付けにより前記通過点および、あるいは目的地に到着する予定時刻を算出する到着予定時刻算出過程と、
前記通過点および、あるいは目的地に設置される到着管理装置から送信される到着情報を受信し、算出した前記予定時刻に遅れているか否かを判断する到着判断過程と、
判断結果を前記遅延情報として前記利用者端末に通知する判断結果通知過程と
を備えることを特徴とする情報通知サービス提供方法。
【請求項３】
通信ネットワークを用いて、通過点および、あるいは目的地を識別する情報と、その各々へ対象が到着した際の遅延情報とを利用者端末に通知する到着情報通知サービスを提供する到着情報通知システムであって、
前記利用者端末から送信される所要時間情報または出発時刻情報または到着管理装置から送信される到着情報を受信する受信手段と、前記所要時間情報または前記出発時刻情報を蓄積する対象情報データベースと、前記所要時間情報と前記出発時刻情報とから到着予定時刻を算出する算出手段と、前記到着情報により追跡される対象が前記到着予定時刻に遅れているか否かを判断する判断手段と、判断結果を前記遅延情報として前記利用者端末に送信する送信手段とを有するサーバ装置と、
前記利用者によって入力される前記所要時間情報または前記出発時刻情報を送信する送信手段と、前記判断結果を受信する受信手段と、受信した前記判断結果を提示する提示手段とを有する利用者端末と、
前記対象が前記通過点および、あるいは目的地に到着する際に前記サーバ装置に位置情報と時刻情報と対象を識別する情報とを含む前記到着情報を送信する送信手段を有する前記到着管理装置と
を有することを特徴とする情報通知システム。
【請求項４】
通信ネットワークを用いて、通過点および、あるいは目的地を識別する情報と、その各々へ対象が到着した際の遅延情報とを利用者端末に通知する到着情報通知サービスを提供する到着情報通知システムであって、
前記利用者端末から送信される所要時間情報または出発時刻情報または到着管理装置から送信される到着情報を受信する受信手段と、前記所要時間情報または前記出発時刻情報を蓄積する対象情報データベースと、前記所要時間情報と前記出発時刻情報とから到着予定時刻を算出する算出手段と、前記到着情報により追跡される対象が前記到着予定時刻に遅れているか否かを判断する判断手段と、判断結果を前記遅延情報として前記利用者端末に送信する送信手段と、無線受信手段とを有する携帯端末と、
前記利用者によって入力される前記所要時間情報または前記出発時刻情報を送信する送信手段と、前記判断結果を受信する受信手段と、受信した前記判断結果を提示する提示手段とを有する利用者端末と、
前記対象が前記通過点および、あるいは目的地に到着する際に前記携帯端末に位置情報を含む前記到着情報を送信する送信手段を有する到着管理装置と
を有することを特徴とする情報通知システム。
【請求項５】
通信ネットワークを用いて、通過点および、あるいは目的地を識別する情報と、その各々へ対象が到着した際の遅延情報とを利用者端末に通知する到着情報通知サービスを提供する到着情報通知システムに用いられるサーバ装置であって、
前記利用者端末から送信される前記通過点および、あるいは目的地への到着までに必要とする所要時間情報または対象の出発時刻情報または到着管理装置から送信される到着情報を受信する受信手段と、
前記所要時間情報と前記出発時刻情報とを蓄積する対象情報データベースと、
出発時刻情報の受信により前記通過点および、あるいは目的地に到着する予定時刻を算出する到着予定時刻算出手段と、
前記通過点および、あるいは目的地に設置される前記到着管理装置から送信される到着情報を受信し、算出した前記予定時刻に遅れたか否かを判断する到着判断手段と、
判断結果を前記遅延情報として前記利用者端末に通知する判断結果通知手段と、
を有することを特徴とするサーバ装置。
【請求項６】
通信ネットワークを用いて、通過点および、あるいは目的地を識別する情報と、その各々へ対象が到着した際の遅延情報とを利用者端末に通知する到着情報通知サービスを提供する到着情報通知システムに用いられる無線受信手段を有する携帯端末であって、
前記利用者端末から送信される前記通過点および、あるいは目的地への到着までに必要とする所要時間情報または対象の出発時刻情報または到着管理装置から送信される到着情報を受信する受信手段と、
前記所要時間情報と前記出発時刻情報とを蓄積する対象情報データベースと、
前記出発時刻の受け付けにより前記通過点および、あるいは目的地に到着する予定時刻を算出する到着予定時刻算出手段と、
前記通過点および、あるいは目的地に設置される前記到着管理装置から送信される到着情報を受信し、算出した前記予定時刻に遅れたか否かを判断する到着判断手段と、
判断結果を前記遅延情報として利用者端末に通知する判断結果通知手段と、
を有することを特徴とする携帯端末。
【請求項７】
請求項１〜６のいずれかに記載の情報処理装置として、コンピュータを機能させるためのプログラム。
【請求項８】
請求項７に記載のプログラムを記録したコンピュータ読み取り可能な記録媒体。
【発明の詳細な説明】
【技術分野】
【０００１】
本発明は、情報通知サービス提供方法、情報通知システム、携帯端末、サーバ装置、プログラム、及び、記録媒体に関する。
【背景技術】
【０００２】
従来において例えば子どもが出かける場合、途中で迷子になっていないか、目的地に予定の時間に到着できるだろうか、などの自宅にいる親の心配を少なくする技術としては、特許文献１に示す方法があった。この技術は、列車利用者（この場合は子ども）が、券売機で切符を購入するとき、通常の切符の購入と同じ手順で乗車料金を入れ、降車駅のボタンを押すと切符の代わりに専用端末が出てくるようにし、この専用端末を借用し、乗車切符と同じ要領で自動改札にこの専用端末を通す。列車利用者が改札に到着すると、現在位置に関する案内、乗車案内、乗り換え案内、降車案内、駅案内、駅近辺の情報等を専用端末から列車利用者に提供するものである。
これにより、列車利用者は乗車駅から降車駅まで迷うことなく移動することが可能になる。
【特許文献１】特開２００４−１９９６０３号公報
【発明の開示】
【発明が解決しようとする課題】
【０００３】
しかしながら、上記の技術においては鉄道機関内という限られた範囲で、鉄道利用者に案内等がなされるものであり、自宅を出てから鉄道機関の駅までスムースに行けたか、また鉄道機関の駅を出てから目的地まできちんと行けたかという親の心配にはなんら変わりがなかった。また、自宅を出てから目的地到着までを通したものにはなっておらず、列車が事故等で予定の時間に降車駅に到着しなくても、親には遅れているということが何も通知されなかった。
【０００４】
本発明はこのような事情を考慮してなされたもので、本発明の解決すべき主要な課題は、上記の問題を解決し、到着をチェックされる対象（たとえば子ども）が予定の時間に通過地点または目的地に到着できなかった場合に、到着情報を通知される利用者（たとえば親）に遅れていることを通知する到着情報通知技術を、自宅を出てから目的地到着までの全行程を通して実現することにある。
【課題を解決するための手段】
【０００５】
上記目的を達成するために、本発明の到着情報通知サービスは、通信ネットワークを用いて、通過点および、あるいは目的地を識別する情報（たとえば第１の実施形態における通過点名）と、その各々へ対象が到着した際の遅延情報とを利用者の端末装置（たとえば第１の実施形態における利用者端末５１）に通知する到着情報通知サービスを提供する方法であり、サービスを提供するサーバ装置（たとえば第１の実施形態におけるサーバ装置２）が、利用者の利用者端末から送信される通過点および、あるいは目的地への到着までに必要とする所要時間情報を受信し、蓄積する必要時間蓄積過程と、出発時刻情報を受信し、蓄積する出発時刻蓄積過程と、出発時刻情報の受信により通過点および、あるいは目的地に到着する予定時刻を算出する到着予定時刻算出過程と、通過点および、あるいは目的地に設置される到着管理装置から送信される到着情報を受信し、算出した予定時刻に遅れているか否かを判断する到着判断過程と、判断結果を遅延情報として利用者端末に通知する判断結果通知過程とを有することを特徴とする。
【０００６】
到着情報通知サービス提供方法は、通信ネットワークを用いて、通過点および、あるいは目的地を識別する情報と、その各々へ対象が到着した際の遅延情報とを利用者端末に通知する到着情報通知サービスを提供する方法であって、無線受信手段を有する携帯端末（たとえば第２の実施形態における携帯端末６）が、通過点および、あるいは目的地への到着までに必要とする所要時間情報を蓄積する必要時間蓄積過程と、出発時刻情報を受け付け、蓄積する出発時刻蓄積過程と、出発時刻情報の受け付けにより通過点および、あるいは目的地に到着する予定時刻を算出する到着予定時刻算出過程と、通過点および、あるいは目的地に設置される到着管理装置から送信される到着情報を受信し、算出した予定時刻に遅れているか否かを判断する到着判断過程と、判断結果を遅延情報として利用者端末に通知する判断結果通知過程とを備えることを特徴とする。
【０００７】
到着情報通知システムは、通信ネットワークを用いて、通過点および、あるいは目的地を識別する情報と、その各々へ対象が到着した際の遅延情報とを利用者端末に通知する到着情報通知サービスを提供する到着情報通知システムであって、利用者端末から送信される所要時間情報または出発時刻情報または到着管理装置から送信される到着情報を受信する受信手段（たとえば第１の実施形態における必要時間受信部２２または出発時刻受信部２３または到着情報受信部２５）と、所要時間情報または出発時刻情報を蓄積する対象情報データベースと、所要時間情報と出発時刻情報とから到着予定時刻を算出する算出手段（たとえば第１の実施形態における到着予定時刻算出部２４）と、到着情報により追跡される対象が到着予定時刻に遅れているか否かを判断する判断手段（たとえば第１の実施形態における到着判断部２６）と、判断結果を遅延情報として利用者端末に送信する送信手段（たとえば第１の実施形態における判断結果通知部２７）とを有するサーバ装置と、利用者によって入力される所要時間情報または出発時刻情報を送信する送信手段と、判断結果を受信する受信手段と、受信した判断結果を提示する提示手段とを有する利用者端末と、対象が通過点および、あるいは目的地に到着する際にサーバ装置に位置情報と時刻情報と対象を識別する情報とを含む到着情報を送信する送信手段を有する到着管理装置（たとえば第１の実施形態における自動改札機３２−１〜３２−ｎまたは入門情報制御装置４１）とを有することを特徴とする。
【０００８】
到着情報通知システムは、通信ネットワークを用いて、通過点および、あるいは目的地を識別する情報と、その各々へ対象が到着した際の遅延情報とを利用者端末に通知する到着情報通知サービスを提供する到着情報通知システムであって、利用者端末から送信される所要時間情報または出発時刻情報または到着管理装置から送信される到着情報を受信する受信手段（たとえば第２の実施形態における通信ネットワークインタフェース部６１または無線受信部６０）と、所要時間情報または出発時刻情報を蓄積する対象情報データベースと、所要時間情報と出発時刻情報とから到着予定時刻を算出する算出手段（たとえば第２の実施形態における到着予定時刻算出部６４）と、到着情報により追跡される対象が到着予定時刻に遅れているか否かを判断する判断手段（たとえば第２の実施形態における到着判断部６５）と、判断結果を遅延情報として利用者端末に送信する送信手段（たとえば第２の実施形態における判断結果通知部６７）と、無線受信手段とを有する携帯端末と、利用者によって入力される所要時間情報または出発時刻情報を送信する送信手段と、判断結果を受信する受信手段と、受信した判断結果を提示する提示手段とを有する利用者端末と、対象が通過点および、あるいは目的地に到着する際に携帯端末に位置情報を含む到着情報を送信する送信手段を有する到着管理装置（たとえば第２の実施形態における自動改札機３２−１〜３２−ｎまたは入門管理装置４２）とを有することを特徴とする。
【０００９】
サーバ装置は、通信ネットワークを用いて、通過点および、あるいは目的地を識別する情報と、その各々へ対象が到着した際の遅延情報とを利用者端末に通知する到着情報通知サービスを提供する到着情報通知システムに用いられるサーバ装置であって、利用者端末から送信される通過点および、あるいは目的地への到着までに必要とする所要時間情報または対象の出発時刻情報または到着管理装置から送信される到着情報を受信する受信手段と、所要時間情報と出発時刻情報とを蓄積する対象情報データベースと、出発時刻情報の受信により通過点および、あるいは目的地に到着する予定時刻を算出する到着予定時刻算出手段と、通過点および、あるいは目的地に設置される到着管理装置から送信される到着情報を受信し、算出した予定時刻に遅れたか否かを判断する到着判断手段と、判断結果を遅延情報として利用者端末に通知する判断結果通知手段とを有することを特徴とする。
【００１０】
携帯端末は、通信ネットワークを用いて、通過点および、あるいは目的地を識別する情報と、その各々へ対象が到着した際の遅延情報とを利用者端末に通知する到着情報通知サービスを提供する到着情報通知システムに用いられる無線受信手段を有する携帯端末であって、利用者端末から送信される通過点および、あるいは目的地への到着までに必要とする所要時間情報または対象の出発時刻情報または到着管理装置から送信される到着情報を受信する受信手段と、所要時間情報と出発時刻情報とを蓄積する対象情報データベースと、出発時刻の受け付けにより通過点および、あるいは目的地に到着する予定時刻を算出する到着予定時刻算出手段と、通過点および、あるいは目的地に設置される到着管理装置から送信される到着情報を受信し、算出した予定時刻に遅れたか否かを判断する到着判断手段と、判断結果を遅延情報として利用者端末に通知する判断結果通知手段とを有することを特徴とする。
【発明の効果】
【００１１】
以上説明した様に、本発明によれば、自宅から目的地までを通して通過点ごとに子どもが遅れているか否かの判断結果情報が親に通知される。したがって、何か不測の事態によって子どもが予定より遅れた場合には、遅れているという通知を利用者に提供できるようになるため、予定通りに子どもが到着しているかどうかが最終目的地までまったくわからないという親の不安を軽減する効果がある。
【発明を実施するための最良の形態】
【００１２】
＜第１の実施形態＞
次に、本発明の一実施形態を図面を参照して説明する。図１は到着情報通知システムの全体構成を示すブロック図である。この実施形態においては、利用者である親の持つ利用者端末に、通過を検知される対象である子どもの通学時における到着情報到着情報を送信する場合を例にしている。
この図において到着情報通知システムは、到着情報を受信及び送信するサーバ装置２と利用者側の端末となる利用者端末５１と到着情報を通知する到着情報制御装置３１及び入門情報制御装置４１とがネットワーク１を介して接続されている。
【００１３】
利用者自宅５において、利用者端末５１は親によって入力された第１対象情報をサーバ装置２に送信する。また、利用者端末５１は親によって入力された子どもの出発予定時刻をサーバ装置２に送信する。ここで第１対象情報は、対象者である子どもの対象者名・利用者への通知先・通過点を特定する通過点名・１つ前の通過点からその通過点に到着するまでに要する所要時間・その通過点において個人を特定するための識別ＩＤからなる。また、利用者端末５１は、サーバ装置２から送信された到着情報または遅延通知を受信し、親に通知する。
利用者端末５１は、たとえば固定電話、携帯電話機、通信機能を持ったＰＣ（Ｐｅｒｓｏｎａｌ  Ｃｏｍｐｕｔｅｒ）等である。
【００１４】
ネットワーク１は、たとえば固定電話網、携帯電話網、インターネットなどの公衆網や、ＬＡＮ（Ｌｏｃａｌ  Ａｒｅａ  Ｎｅｔｗｏｒｋ）、専用線などの私設網、移動体網、無線通信網からなる。
【００１５】
鉄道会社３において、列車が停車する駅３０−１〜３０−ｎにそれぞれ設置された自動改札機３２−１〜３２−ｎは、子どもによって定期券が通されると通用区間・通用期間・定期券番号等を読み取り、この定期券の使用の有効性を検査する。また、自動改札機３２−１〜３２−ｎは、到着情報を到着情報制御装置３１に送信する。ここで到着情報は自動改札機３２−１〜３２−ｎが設置されている場所を特定する情報である通過点名情報と到着時刻と識別ＩＤである定期券番号とからなる。
到着情報制御装置３１は自動改札機３２−１〜３２−ｎから送信された到着情報をサーバ装置２に送信する。
【００１６】
学校４において、校門に設置された入門管理装置４２は校門を出入りする学生によって通される学生証の学生証番号等を読み取り、学生証の有効性を検査する。また、入門管理装置４２は、その学生の到着情報を入門情報制御装置４１に送信する。
入門情報制御装置４１は、入門管理装置４２から送信された到着情報をサーバ装置２に送信する。
このとき、学生証の有効性の検査は在校生の学生証番号が記憶されている学生情報データベースに読み取った学生証番号が登録されているか否かを検出することで行ってもよいし、あらかじめ在校生の学生証番号の範囲を記憶しておき、その番号の範囲に読み取った学生証番号が含まれているか否かを検出することで検査を行ってもよい。
【００１７】
サーバ装置２は通信ネットワークインタフェース部２１と、必要時間受信部２２と、出発時刻受信部２３と、到着予定時刻算出部２４と、到着情報受信部２５と、到着判断部２６と、判断結果通知部２７と対象情報データベース２８と、到着記録データベース２９とを有する。
【００１８】
通信ネットワークインタフェース部２１は、ネットワーク１とのインタフェースを実現する。また、通信ネットワークインタフェース部２１は、利用者端末５１から送信された第１対象情報を必要時間受信部２２に出力し、利用者端末５１から送信された出発予定時刻を出発時刻受信部２３に出力し、自動改札機３２−１〜３２−ｎまたは入門情報制御装置４１から送信された到着情報を到着情報受信部２５に出力する。
【００１９】
必要時間受信部２２は利用者端末５１から送信された第１対象情報を対象者名に対応させて書き込むことで対象情報データベース２８を更新する。出発時刻受信部２３は利用者端末５１から送信された出発予定時刻を対象者名に対応させて書き込むことで対象情報データベース２８を更新する。
対象情報データベース２８には図２に示すように、対象者名ごとに第１対象情報と出発予定時刻情報とを対応付けたテーブルが記憶されている。これにより対象者が複数のＩＤを持つ場合であっても、これらを統合して管理することができることになる。
【００２０】
到着予定到着予定時刻算出部２４は対象者ごとに対象情報データベース２８に記憶されている出発予定時刻情報と通過点情報とを読み出し、それぞれの通過地点に到着する到着予定到着予定時刻を算出し、算出した到着予定到着予定時刻情報を到着判断部２６に出力する。
【００２１】
到着情報受信部２５は通信ネットワークインタフェース部２１から入力された到着情報を到着判断部２６に出力する。
到着判断部２６は入力された到着予定時刻情報と到着情報とを対象者名に対応させて書き込むことで到着記録データベース２９を更新する。また、到着判断部２６は、到着予定時刻情報により、子どもが予定時刻までに通過地点に到着しているか否かを検出している。また、到着判断部２６は到着情報と到着予定時刻情報とから予定通りか否かを判断し、判断結果を判断結果通知部２７に出力する。判断結果通知部２７は通信ネットワークインタフェース部２１へ判断結果を出力し、通信ネットワークインタフェース部２１は入力された判断結果を利用者端末５１に送信する。
【００２２】
到着記録データベース２９には図３に示すように、対象者名ごとに通知先情報と通過点名と到着予定時刻と実際の到着時刻と識別ＩＤとを対応付けたテーブルが記憶されている。
【００２３】
次に、図１の構成におけるシステムの動作例について図４のフローチャートを用いて説明する。ここでは利用者自宅５を出発した子どもが鉄道を利用して通過点である駅３０−１、駅３０−ｎに到着して学校４へ登校する場合を例にしている。
【００２４】
利用者端末５１は、あらかじめサーバ装置２に利用者が設定する情報として、子どもが通過する順に入力された通過点名・１つ前の通過点からその通過点に到着するまでの所要時間・識別ＩＤからなる通過点情報と、対象者名と利用者への通知先とからなる第１対象情報をサーバ装置２へ送信する（ステップＳ１）。
【００２５】
サーバ装置２において、通信ネットワークインタフェース部２１は、ネットワーク１を介して利用者端末５１から第１対象情報を受信すると、受信した第１対象情報を必要時間受信部２２へ出力する。必要時間受信部２２は第１対象情報が入力されると、対象者名または通知先あるいはその両方に対応する対象情報データベース２８のテーブルに通過点名・所要時間・識別ＩＤからなる通過点情報と、通知先とを書き込む（ステップＳ２）。これにより、あらかじめサーバ装置２に通過点情報と通知先とが設定されることになる。
【００２６】
利用者端末５１は、親によって入力された子どもの出発予定時刻情報と対象名情報とをあらかじめサーバ装置２へ送信する（ステップＳ３）。
【００２７】
サーバ装置２において、通信ネットワークインタフェース部２１は、ネットワーク１を介して利用者端末５１から出発予定時刻情報と対象名情報とを受信すると、受信した出発予定時刻情報と対象名情報とを出発時刻受信部２３へ出力する。出発時刻受信部２３は出発予定時刻情報と対象名情報とが入力されると、対象者名に対応する対象情報データベース２８のテーブルに出発予定時刻を書き込む（ステップＳ４）。これにより、あらかじめサーバ装置２に出発予定時刻が設定されることになる。
【００２８】
到着予定時刻算出部２４は対象情報データベース２８が更新されているか否かを検出しており、対象情報データベース２８が更新されたことを検知すると、更新されたテーブルを読み出す。到着予定時刻算出部２４は読み出したテーブルの出発予定時刻に通過点情報の所要時間を加算して、通過点名ごとに到着予定時刻を算出する。到着予定時刻算出部２４は算出した到着予定時刻とその通過点名と対象者名情報からなる到着予定情報を到着判断部２６に出力する。到着判断部２６は入力された到着予定情報を対象者名情報に対応させて到着記録データベース２９に書き込む。また、到着判断部２６は、到着記録データベース２９に記憶されている到着予定情報を常に読み出し、予定時刻までに到着しているか否かを検出している（ステップＳ５）。
【００２９】
このとき、到着予定時刻算出部２４による対象情報データベース２８における更新されているか否かの検出は、あらかじめ更新時刻情報を書き込む領域を対象情報データベース２８に用意しておき、対象情報データベース２８の更新時刻情報を一定周期ごとに読み出し、更新の有無を判断する方法でも良い。このとき、到着予定時刻算出部２４は読み出した更新時刻情報が前回読み出した時刻と異なっている場合、更新されたと判断してもよい。
この更新時刻情報は、必要時間受信部２２または出発時刻受信部２３によって対象情報データベース２８の更新を行う際に、対象情報データベース２８に書き込まれる。また、到着予定時刻算出部２４はあらかじめ対象情報データベース２８の更新時刻情報を一時的に保持する記憶領域をもち、対象情報データベース２８の更新の有無の判断を行った後に、読み出した更新時刻情報を更新時刻情報を保持する記憶領域に書き込む。
【００３０】
到着判断部２６による予定時刻までに到着しているか否かの検出は、到着判断部２６によって到着予定時刻が現在時刻までで、かつ到着時刻情報が書き込まれていないレコードを到着記録データベース２９から一定周期ごとに検索することによって行う。
【００３１】
鉄道会社３の駅３０−１において、自動改札機３２−１は、子どもによって通された定期券から通用区間・通用期間・定期券番号等を読み取り、この定期券の使用の有効性を検査するとともに、読み取った定期券番号とその時刻の時刻情報と自動改札機３２−１が設置されている場所を示す通過点名情報とを到着情報として到着情報制御装置３１に送信する。到着情報制御装置３１は受信した到着情報をサーバ装置２に送信する（ステップＳ６）。
【００３２】
サーバ装置２において、通信ネットワークインタフェース部２１は、ネットワーク１を介して到着情報制御装置３１から到着情報を受信すると、受信した到着情報を到着情報受信部２５へ出力する。到着情報受信部２５は到着情報が入力されると、到着判断部２６に到着情報を出力する（ステップＳ７）。到着判断部２６は入力された到着情報の通過点名と識別ＩＤとに対応する到着記録データベース２９のテーブルに到着時刻情報を書き込むとともに、その到着時刻が到着予定時刻より遅れているか否かを判断する（ステップＳ８）。遅れているか否かの判断は、到着時刻が到着予定時刻を越えているか否かによって判断する。
【００３３】
到着判断部２６は、遅れているか否かの判断結果と対象者名と通知先情報とを判断結果情報として判断結果通知部２７に出力し、判断結果通知部２７は入力された判断結果情報を通信ネットワークインタフェース部２１に出力し、通信ネットワークインタフェース部２１は入力された判断結果情報の通知先情報に基づいて判断結果情報を通知先の利用者端末５１に送信する（ステップＳ９）。
【００３４】
利用者自宅５において、利用者端末５１はネットワーク１を介してサーバ装置２から判断結果情報を受信し、利用者に提示する（ステップＳ１０）。
以上のステップＳ６〜Ｓ１０と同様にして、対象者が通過点に到着すると到着情報制御装置３１または入門情報制御装置４１はサーバ装置２に到着情報を送信し、サーバ装置２において到着判断部２６は到着予定時刻より遅れているか否かを判断し、到着判断部２６は判断結果情報を判断結果通知部２７および通信ネットワークインタフェース部２１およびネットワーク１を介して利用者端末５１に送信する。
【００３５】
次に、列車の遅延により、駅３０−ｎにおいて到着予定時刻から遅れて子どもが自動改札機３２−ｎに到着した場合の動作を説明する。
到着判断部２６は、到着記録データベース２９に記憶されている到着予定情報を常に読み出し、予定時刻までに到着しているか否かを検出している。たとえば図３の到着記録データベース２９のテーブルに示すように、対象者である武蔵町子さんが駅３０−ｎに到着する予定の時刻になっても到着情報受信部２５から到着情報の入力がなかった場合、到着判断部２６は対象者が遅れていると判断する（ステップＳ１１）。
【００３６】
到着判断部２６は、遅れているという判断結果と到着記録データベース２９から読み出した対象者名と通知先情報とを判断結果情報として判断結果通知部２７に出力し、判断結果通知部２７は入力された判断結果情報を通信ネットワークインタフェース部２１に出力し、通信ネットワークインタフェース部２１は入力された判断結果情報の通知先情報に基づいて判断結果情報を通知先の利用者端末５１に送信する（ステップＳ１２）。
【００３７】
利用者自宅５において、利用者端末５１はネットワーク１を介してサーバ装置２から判断結果情報を受信し、利用者に提示する（ステップＳ１３）。
本発明における第１の実施形態によれば、サーバ装置２を設置することにより、自宅から目的地までを通して通過点ごとに子どもが遅れているか否かの判断結果情報が親に通知される。したがって、何か不測の事態によって子どもが予定より遅れた場合には、遅れているという通知が来ることになるため、予定通りに子どもが到着しているかどうかが最終目的地までまったくわからないという親の不安を軽減する効果がある。
【００３８】
本発明によれば、サーバ装置２および利用者端末５１と到着情報制御装置３１と入門情報制御装置４１とサーバ装置２との接続以外は既存の設備・装置を利用することができるため、特別な装置を必要とすることなく、到着通知システムが実現可能である。
【００３９】
ステップＳ５において、到着予定時刻算出部２４による対象情報データベース２８における更新されているか否かの検出は、必要時間受信部２２または出発時刻受信部２３が対象情報データベース２８を更新する際に到着予定時刻算出部２４に通知する方法でも良い。
また、対象情報データベース２８にあらかじめ更新したことを示すフラグを立てる領域を用意しておき、必要時間受信部２２または出発時刻受信部２３は対象情報データベース２８を更新する際に、フラグを立てて、到着予定時刻算出部２４がフラグによって対象情報データベース２８が更新されているか否かを検出しても良い。このとき、更新されているか否かの検出終了時に到着予定時刻算出部２４はフラグをリセットする。また、ここでフラグを立てるとは、フラグの記憶領域に１を書き込むことをさし、リセットとはフラグの記憶領域に０を書き込むことをさす。
【００４０】
また、ステップＳ５において、到着判断部２６による予定時刻までに到着しているか否かの検出による遅延の判断は、到着判断部２６によって利用者に判断結果を送信する際にその遅延判断を行ったレコードにフラグを立てておき、到着予定時刻が現在時刻までで、かつフラグが立っていないレコードを一定周期ごとに検索する方法でも良い。
【００４１】
また、利用者端末５１はサーバ装置２との通信及び利用者への通知が可能な端末であれば良く、利用者自宅５に固定で設置されているたとえば固定電話でも良いし、利用者に携帯される端末で、利用者が利用者自宅５を離れていても通知されるたとえば携帯電話や、通信可能な可搬型のコンピュータなどの携帯端末でもよい。
【００４２】
また、本実施形態において、対象者である子どもが到着予定時刻に遅れて通過点に到着した場合に、到着判断部２６から到着予定時刻算出部２４に予定時刻の再計算命令を送信し、到着予定時刻算出部２４は対象情報データベース２８から通過点情報と遅れた到着時刻情報とから、それ以降の通過点への到着予定時刻を再算出してもよい。このとき、到着予定時刻算出部２４は再算出結果を到着判断部２６に出力し、到着判断部２６は到着予定時刻算出部２４から入力された再算出された到着予定時刻を書き込むことで到着記録データベース２９を更新し、子どもの通過が遅れているか否かを検出する。
【００４３】
また、本実施形態において、利用者端末５１からあらかじめ出発予定時刻をサーバ装置２に送信して到着予定時刻を算出していたが、子どもの出発の際に、親または子どもによって入力された子どもの出発情報を利用者端末５１はサーバ装置２に送信し、サーバ装置２はその出発情報から到着予定時刻を算出しても良い。このとき出発情報に出発した時刻の情報を含めても良いし、サーバ装置２が出発情報を受信した時刻を出発時刻として到着予定時刻を算出しても良い。また、子どもが出発したことをサーバ装置２に送信する方法としては、利用者自宅５に子どもの出発を検知し、サーバ装置２に出発情報を送信する装置を設置しても良い。
【００４４】
また、遅れていることの通知にあたっては到着予定時刻に利用者があらかじめ許容時間を設定し、サーバ装置２において対象情報データベース２８にあらかじめ許容時間をさらに記憶させてもよい。このとき、到着予定時刻を過ぎていても、到着予定時刻に許容時間を加算した時刻までに子どもが通過すれば、遅れていることをサーバ装置２から利用者端末５１に通知しない。
また、到着予定時刻を遅れずに通過したとサーバ装置２が判断した場合は、サーバ装置２は予定通りという到着情報を送信して通知してもよいし、あるいは通知を省略する構成にしてもよい。
【００４５】
また、本実施形態において、自動改札機３２−１〜３２−ｎに到着する際に個人を識別するために定期券番号を用いたが、あらかじめ購入された指定席の乗車券番号を同様に用いてもよい。
【００４６】
＜第２の実施形態＞
次に、サーバ装置２を設置しない第２の実施形態について、図面を参照して説明する。図５は到着情報通知システムの全体構成を示すブロック図である。第１の実施形態と同様に、この実施形態においては、利用者である親の持つ利用者端末に、通過を検知される対象者である子どもの通学時における到着情報を送信する場合を例にしている。
また、本実施形態において、第１の実施形態と同様の構成については図１と同一の符号を付し、その構成についての説明を省略する。
【００４７】
上述した第１の実施形態と本実施形態との違いは、サーバ装置２を設置せずに、対象情報データベース２８および到着記録データベース２９と同様のデータベースを有する携帯可能な装置端末を用いることにある。このデータベースは、第１の実施形態においては対象者全員分の情報が格納されていたが、第２の実施形態においては、このデータベースを有する装置端末の所有者のみの情報を格納する。この装置端末は近距離の無線受信が可能な装置端末である。
この図において到着情報通知システムは、携帯端末６と利用者端末５１とがネットワーク１を介して接続されている。自動改札機３２−１〜３２−ｎと入門管理装置４２と携帯端末６とは近距離通信によって接続される。
【００４８】
ここで、近距離通信とは、隣の駅など、現在地と異なる場所からの通信を回避することができるようにするため、携帯端末６が同時に複数の無線を受信しない範囲となる、通信可能域が短距離である通信方式が好ましい。したがって、自動改札機３２−１〜３２−ｎおよび入門管理装置４２は他の通過点における無線電波と干渉しない短距離にのみ届く微弱電波によって情報を送信する送信機を有する構成となる。例えば、短距離における無線通信として、Ｂｌｕｅｔｏｏｔｈ（登録商標）や赤外線通信、無線ＬＡＮ（ローカルエリアネットワーク）、ＲＦＩＤ（Ｒａｄｉｏ  Ｆｒｅｑｕｅｎｃｙ  Ｉｄｅｎｔｉｆｉｃａｔｉｏｎ）などによる無線通信方式などが利用できる。
【００４９】
利用者自宅５において、利用者端末５１は親によって入力された第２対象情報を携帯端末６にあらかじめ送信する。また、利用者端末５１は親によって入力された子どもの出発予定時刻を携帯端末６に送信する。ここで第２対象情報は、利用者への通知先・通過点を特定する通過点名・１つ前の通過点からその通過点に到着するまでに要する所要時間からなる。
また、利用者端末５１は、携帯端末６から送信された到着情報または遅延通知を受信し、親に通知する。
【００５０】
鉄道会社３において、列車が停車する駅３０−１〜３０−ｎにそれぞれ設置された自動改札機３２−１〜３２−ｎは、通過点を特定する通過点名を携帯端末６に送信する。
【００５１】
学校４において、校門に設置された入門管理装置４２は、通過点を特定する通過点名を携帯端末６に送信する。
【００５２】
携帯端末６は通信ネットワークインタフェース部６１と、必要時間受信部６２と、出発時刻受信部６３と、到着予定時刻算出部６４と、到着情報受信部６５と、到着判断部６６と、判断結果通知部６７と対象情報データベース６８と、到着記録データベース６９と無線受信部６０とを有する。
【００５３】
通信ネットワークインタフェース部６１は、ネットワーク１とのインタフェースを実現する。また、通信ネットワークインタフェース部６１は、利用者端末５１から送信された第２対象情報を必要時間受信部６２に出力し、利用者端末５１から送信された出発予定時刻を出発時刻受信部６３に出力する。
【００５４】
無線受信部６０は、自動改札機３２−１〜３２−ｎまたは入門管理装置４２との無線通信のインタフェースを実現するものである。また、無線受信部６０は自動改札機３２−１〜３２−ｎまたは入門管理装置４２から送信された通過点名情報を到着情報受信部６５に出力する。
【００５５】
必要時間受信部６２は利用者端末５１から送信された第２対象情報に到着点名に対応させて書き込むことで対象情報データベース６８を更新する。出発時刻受信部６３は利用者端末５１から送信された出発予定時刻を書き込むことで対象情報データベース６８を更新する。
対象情報データベース６８には図６に示すように、第２対象情報と出発予定時刻情報とがテーブルとして記憶されている。
【００５６】
到着予定時刻算出部６４は対象情報データベース６８に記憶されている出発予定時刻情報と通過点情報とを読み出し、それぞれの通過地点に到着する到着予定時刻を算出し、算出した到着予定時刻情報を到着判断部６６に出力する。
【００５７】
到着情報受信部６５は無線受信部６０から入力された通過点名情報を到着判断部６６に出力する。
到着判断部６６は入力された通過点名情報に対応させて、入力された時刻に到着時刻として書き込むことで到着記録データベース６９を更新する。また、到着判断部６６は、到着予定時刻情報により、子どもが予定時刻までに通過地点に到着しているか否かを検出している。到着判断部６６は到着時刻と到着予定時刻情報とから予定通りか否かを判断し、判断結果を判断結果通知部６７に出力する。判断結果通知部６７は通信ネットワークインタフェース部６１へ判断結果を出力し、通信ネットワークインタフェース部６１は入力された判断結果を利用者端末５１に送信する。
【００５８】
到着記録データベース６９には図６に示すように、通知先情報と通過点名と到着予定時刻と実際の到着時刻とを対応付けたテーブルが記憶されている。
【００５９】
次に、図５の構成におけるシステムの動作例について図８のフローチャートを用いて説明する。ここでは第１の実施形態と同様に利用者自宅５を出発した子どもが鉄道を利用して通過点である駅３０−１、駅３０−ｎに到着して学校４へ登校する場合を例にしている。
【００６０】
利用者端末５１は、あらかじめ携帯端末６に利用者が設定する情報として、子どもが通過する順に入力された通過点名・１つ前の通過点からその通過点に到着するまでの所要時間からなる通過点情報と、利用者への通知先とからなる第２対象情報をあらかじめ携帯端末６へ送信する（ステップＳ６１）。
【００６１】
携帯端末６において、通信ネットワークインタフェース部６１は、ネットワーク１を介して利用者端末５１から第２対象情報を受信すると、受信した第２対象情報を必要時間受信部６２へ出力する。必要時間受信部６２は第２対象情報が入力されると、対象情報データベース６８に通知先と、通過点情報に対応させた所要時間とを書き込む（ステップＳ６２）。これにより、あらかじめ携帯端末６に通過点情報と通知先とが設定されることになる。
【００６２】
利用者端末５１は、親によって入力された子どもの出発予定時刻情報をあらかじめ携帯端末６へ送信する（ステップＳ６３）。
【００６３】
携帯端末６において、通信ネットワークインタフェース部６１は、ネットワーク１を介して利用者端末５１から出発予定時刻情報を受信すると、受信した出発予定時刻情報を出発時刻受信部６３へ出力する。出発時刻受信部６３は出発予定時刻情報が入力されると、対象情報データベース６８に出発予定時刻を書き込む（ステップＳ６４）。これにより、あらかじめ携帯端末６に出発予定時刻が設定されることになる。
【００６４】
到着予定時刻算出部６４は対象情報データベース６８が更新されているか否かを検出しており、対象情報データベース６８が更新されたことを検知すると、出発予定時刻に通過点情報の所要時間を加算して、通過点名ごとに到着予定時刻を算出する。到着予定時刻算出部６４は算出した到着予定時刻とその通過点名とからなる到着予定情報と通知先情報とを到着判断部６６に出力する。到着判断部６６は入力された到着予定情報に到着点名情報に対応させて書き込むことで到着記録データベース６９を更新し、通知先情報を書き込むことで到着記録データベース６９を更新する。また、到着判断部６６は、到着記録データベース６９に記憶されている到着予定情報を常に読み出し、予定時刻までに到着しているか否かを検出している（ステップＳ６５）。
【００６５】
鉄道会社３の駅３０−１において、自動改札機３２−１は、場所を識別するための通過点名情報を常に無線通信によって発信している（ステップＳ６６）。
【００６６】
携帯端末６において、無線受信部６０は、自動改札機３２−１が発信する通過点名情報を受信できる領域に入ると、無線通信によって、自動改札機３２−１から通過点名情報を受信し、受信した通過点名情報を到着情報受信部６５へ出力する。到着情報受信部６５は通過点名情報が入力されると、到着判断部６６に通過点名情報を出力する（ステップＳ６７）。到着判断部６６は入力された通過点名情報に対応させて到着時刻を書き込むことで到着記録データベース２９を更新するとともに、その到着時刻が到着予定時刻より遅れているか否かを判断する（ステップＳ８）。このとき到着時刻は通過点名情報が入力された時刻とする。
【００６７】
到着判断部６６は、遅れているか否かの判断結果と通知先情報とを判断結果情報として判断結果通知部６７に出力し、判断結果通知部６７は入力された判断結果情報を通信ネットワークインタフェース部６１に出力し、通信ネットワークインタフェース部６１は入力された判断結果情報の通知先情報に基づいて判断結果情報を通知先の利用者端末５１に送信する（ステップＳ６９）。
【００６８】
利用者自宅５において、利用者端末５１はネットワーク１を介して携帯端末６から判断結果情報を受信し、利用者に提示する（ステップＳ７０）。
以上のステップＳ６６〜Ｓ７０と同様にして、対象者が通過点に到着する際に、自動改札機３２−１〜３２−ｎまたは入門管理装置４２が発信する通過点名情報を受信できる領域に入ると、携帯端末６の無線受信部６０は通過点名情報を受信し、到着判断部６６は到着予定時刻より遅れているか否かを判断し、到着判断部６６は判断結果情報を判断結果通知部６７および通信ネットワークインタフェース部６１およびネットワーク１を介して利用者端末５１に送信する。
【００６９】
次に、列車の遅延により、駅３０−ｎにおいて到着予定時刻から遅れて子どもが自動改札機３２−ｎに到着した場合の動作を説明する。
到着判断部６６は、到着記録データベース６９に記憶されている到着予定情報を常に読み出し、予定時刻までに到着しているか否かを検出している。たとえば図７の到着記録データベース６９のテーブルに示すように、対象者である子どもが駅３０−ｎに到着する予定の時刻になっても到着情報受信部６５から到着情報の入力がなかった場合、到着判断部６６対象者が遅れていると判断する（ステップＳ７１）。
【００７０】
到着判断部６６は、遅れているという判断結果と到着記録データベース６９から読み出した通知先情報とを判断結果情報として判断結果通知部６７に出力し、判断結果通知部６７は入力された判断結果情報を通信ネットワークインタフェース部６１に出力し、通信ネットワークインタフェース部６１は入力された判断結果情報の通知先情報に基づいて判断結果情報を通知先の利用者端末５１に送信する（ステップＳ７２）。
【００７１】
利用者自宅５において、利用者端末５１はネットワーク１を介して携帯端末６から判断結果情報を受信し、利用者に提示する（ステップＳ７３）。
本発明における第２の実施形態によれば、子どもが携帯する無線通信可能な携帯端末６を第１の実施形態におけるサーバ装置２と同様の動作を可能とさせることにより、サーバ装置２を設置することなく到着通知システムを実現することが可能となる。
【００７２】
また、第１の実施形態と同様に、第２の実施形態においても子どもが到着予定時刻に遅れて通過点に到着した場合に、それ以降の通過点への到着予定時刻を再算出してもよい。
また、遅れていることの通知にあたっては到着予定時刻に利用者があらかじめ許容時間を設定してもよい。
また、到着予定時刻を遅れずに通過したことが知らされた場合は、予定通りという通知をしてもよいし、あるいは通知を省略してもよい。
【００７３】
以上のように、第２の実施形態においては子どもの出発予定時刻を利用者端末５１から携帯端末６へ送信していたが、親または子どもによって携帯端末６に直接入力される形態でも良い。また、携帯端末６は、出発時に親または子どもによって出発したことを直接に入力される形態でも良い。また、子どもが出発したことを携帯端末６に送信する方法としては、利用者自宅５に子どもの出発を検知し、携帯端末６に出発情報を送信する装置を設置しても良い。
【００７４】
また、第１の実施形態および第２の実施形態においては、鉄道会社３のみの路線における到着通知システムを例に説明したが、図９に示すように鉄道会社が複数にまたがる乗り換えのある経路であっても同様に適用可能である。
また、第１の実施形態および第２の実施形態においては通過点は自動改札機３２−１〜ｎおよび入門管理装置４２であったが、目的地までの経路においてサーバ装置２または携帯端末６に到着情報または通過点名情報を通知する装置があれば駅や学校に限らず通過点とすることが可能である。
【００７５】
なお、本発明は、図１〜図９を用いて説明した形態に限定されるものではなく、その主旨を逸脱しない範囲において種々変更可能である。
【産業上の利用可能性】
【００７６】
上記に説明したとおり本発明が産業上の利用が可能であることは明らかである。即ち利用者にとっては「何かがあれば知らせが入る」ということで安心していられることから、本サービスの利用が拡大し、システムおよび関連装置の需要が一層高まることが期待できる。
【図面の簡単な説明】
【００７７】
【図１】本発明の第１の実施形態における到着通知システムの構成例を示すブロック図である。
【図２】対象情報データベース２８に記憶される着席情報の一例を示す図面である。
【図３】到着記録データベース２９に記憶される着席情報の一例を示す図面である。
【図４】第１の実施の形態による到着通知システムの動作フローを示すフローチャートである。
【図５】本発明の第２の実施形態における到着通知システムの構成例を示すブロック図である。
【図６】対象情報データベース６８に記憶される着席情報の一例を示す図面である。
【図７】到着記録データベース６９に記憶される着席情報の一例を示す図面である。
【図８】第２の実施の形態による到着通知システムの動作フローを示すフローチャートである。
【図９】駅が複数存在する場合の構成例を示すブロック図である。
【符号の説明】
【００７８】
１  ネットワーク
２  サーバ装置
３，３−１〜３−ｍ  鉄道会社
４  学校
５  利用者自宅
６  携帯端末
２１  通信ネットワークインタフェース部
２２  必要時間受信部
２３  出発時刻受信部
２４  到着予定時刻算出部
２５  到着情報受信部
２６  到着判断部
２７  判断結果通知部
２８  対象情報データベース
２９  到着記録データベース
３０−１〜３０−ｎ，３０−ｐ〜３０−ｑ，  駅
３１  到着情報制御装置
３２−１〜３２−ｎ  自動改札機
４１  入門情報制御装置
４２  入門管理装置
５１  利用者端末
６０  無線受信部
６１  通信ネットワークインタフェース部
６２  必要時間受信部
６３  出発時刻受信部
６４  到着予定時刻算出部
６５  到着情報受信部
６６  到着判断部
６７  判断結果通知部
６８  対象情報データベース
６９  到着記録データベース
【図１】
2007328587.tif 000003
【図２】
2007328587.tif 000004
【図３】
2007328587.tif 000005
【図４】
2007328587.tif 000006
【図５】
2007328587.tif 000007
【図６】
2007328587.tif 000008
【図７】
2007328587.tif 000009
【図８】
2007328587.tif 000010
【図９】
2007328587.tif 000011